(57)【要約】【課題】  作業者の溶接作業に対する習熟度に関わらず、PC鋼材の定着部においてPC鋼材の外周に取り付け・取り外しし易く、且つ、前記定着部に配置した際に、PC鋼材の緊張力によって分解しないシムおよびこのシムを使用したPC鋼材の緊張力を除荷する方法を提供する【解決手段】  シム40は、複数の分割片41,42を組み合わせて形成される筒状部材と、前記筒状部材の内部にPC鋼材を配置したときに、筒状部材が分割しないように筒状部材を締め付ける締め付け機構（ボルト46、貫通孔44、ネジ穴45）を備える。そして、このシム40をPC鋼材から取り外すときは、締め付け機構を緩めて筒状部材を分割する。【選択図】  図２
2007032126.tif 000002
【特許請求の範囲】
【請求項１】
緊張されたPC鋼材の緊張力を調節するためにPC鋼材の外周に配置される緊張力調節用シムであって、
前記シムは、
複数の非筒状分割片を組み合わせて形成される筒状部材と、
前記筒状部材をPC鋼材の外周に取り付けたときに、前記分割片が分割しないように締め付ける締め付け機構とを備えることを特徴とする緊張力調節用シム。
【請求項２】
前記締め付け機構がネジであることを特徴とする請求項１に記載の緊張力調節用シム。
【請求項３】
前記締め付け機構が、筒状部材の外周に突出しないように、分割片の外周部分に切り欠きを設けたことを特徴とする請求項１に記載の緊張力調節用シム。
【請求項４】
PC構造物におけるPC鋼材の定着部において、PC鋼材に導入され、PC構造物の支圧面に伝達される緊張力を緩めるためのPC鋼材の緊張力を除荷する方法であって、
前記定着部は、
緊張されたPC鋼材を把持するウェッジと、
ウェッジを嵌め込む嵌合孔を有するウェッジ受けと、
前記ウェッジ受けよりも支圧面側において、PC鋼材の外周を覆うように配置される筒状のシムとを具え、
前記シムは、複数の非筒状分割片を組み合わせて筒状に形成され、且つ、締め付け機構により各分割片が分割しないように締め付けられており、
これらウェッジ・ウェッジ受け・シムにより構成される定着部において、前記緊張力を除荷するときは、PC鋼材を再度緊張した後、締め付け機構による締め付けを緩めてシムを取り外すことでPC構造物に付与された緊張力を除荷することを特徴とするPC鋼材の緊張力を除荷する方法。
【発明の詳細な説明】
【技術分野】
【０００１】
本発明は、緊張されたPC鋼材の緊張力を調節するためのシムおよびこのシムを使用したPC構造物におけるPC鋼材の緊張力を除荷する方法に関する。特に、PC鋼材の定着部において各PC鋼材の外周に容易に取り付け・取り外し可能なシムおよびこのシムを使用したPC構造物におけるPC鋼材の緊張力を除荷する方法に関する。
【背景技術】
【０００２】
PC構造物において、PC鋼材の定着部は、主にPC鋼材を把持するウェッジと、ウェッジを嵌め込む嵌合孔を有するウェッジ受けにより構成される。そして、定着部は、緊張されたPC鋼材の緊張力をウェッジ・ウェッジ受けを介して支圧面に伝達することによりPC構造物に荷重をかけてPC構造物の耐久性を向上させている。ところで、このような定着部には、通常、上記のウェッジ・ウェッジ受けの他にPC構造物にかける荷重を調節するための部材が設けられており、その一つにシムが挙げられる。
【０００３】
PC構造物に使用されるシムとしては、断面円弧状の複数の分割片を組み合わせて、円環状あるいは円筒状に形成したものがある。円環状のものは、特許文献１に記載のように、複数のPC鋼材の緊張力を集約して配置するアンカーディスクを用いたPC鋼材の定着部において使用される。
【０００４】
円環状シムは、アンカーディスクと支圧面との間でPC鋼材の外周に配置され、アンカーディスクから受けるPC鋼材の緊張力を支圧面に伝達する。このとき、円環状シムをPC鋼材の軸方向に積層することでPC構造物に付与するPC鋼材の緊張力を調節することができる。具体的には、PC鋼材の軸方向に積層するシムの数を増やすと、ウェッジを介してPC鋼材の緊張力が伝達されるアンカーディスクが支圧面から離れる方向に配置されるので、アンカーディスクから円環状シムを介して支圧面に伝達される緊張力は大きくなる。逆に、シムの数を減らすと、支圧面に伝達される緊張力は小さくなる。
【０００５】
また、円環状シムは、その軸方向に圧力がかかったときに分解して、PC鋼材の外周から外れてしまわないように構成されている。例えば、特許文献１では、円環状シムの径をアンカーディスクよりも大きくして、前記シムと支圧面との摩擦力を増加させることで、シムがPC鋼材の外周から外れ難くしている。
【０００６】
一方、円筒状のものは、ウェッジ受けよりも支圧面側において各PC鋼材の外周に配置され、各PC鋼材に一旦導入した緊張力を除荷することに使用する。このような円筒状シムは、例えば、図５に示すようなPC鋼材1の緊張力を監視するための緊張力監視部10において使用される。円筒状シムを使用した定着部では、緊張されたPC鋼材1の緊張力は、PC鋼材1を把持するウェッジ2・ウェッジ2を嵌め込むグリップ3（ウェッジ受け）・PC鋼材1の緊張力を除荷する際に使用する円筒状シム4・緊張力を測定するロードセル5・ロードセル5を整列させる支圧リング6・PC鋼材1を集約するアンカーディスク8を介して支圧面Gに伝達される。このとき、緊張力監視部10が設けられていないPC鋼材1は、アンカーディスク8の嵌合孔8Haに直接ウェッジ2Aが嵌め込まれているが、監視部10の設けられているアンカーディスク8の嵌合孔8Hには、支圧リング6の端面とアンカーディスク8の端面とを平面で接触させるために穴埋めリング7が嵌め込まれている。この定着部における緊張力を除荷するときは、ジャッキなどを用いてPC鋼材1を再度緊張して、上記グリップ3がシム4を支圧面G方向に強く押圧しない状態としてからシム4を取り外す。そして、PC鋼材1の再緊張を緩めると、シム4の軸方向の長さ分だけPC鋼材1が緩んだ状態になるので、PC構造物に導入された緊張力を除荷することができる。
【０００７】
ところで、上記のような複数の分割片からなる円筒状シムは、従来、分割片の接触する部分を点溶接することで接合していた。そして、シムをPC鋼材から取り外すときは、鏨などにより点溶接部分を叩いて、各分割片の接合を解除していた。
【０００８】
【特許文献１】特開平６−２６２６１８号公報
【発明の開示】
【発明が解決しようとする課題】
【０００９】
しかし、上記のような従来のシムでは、以下に示す理由により、PC鋼材の定着部に容易に取り付けることができ、且つ、PC鋼材の緊張力を開放するときに取り外し易いようにすることができなかった。
【００１０】
PC鋼材の定着部では、PC鋼材を把持するウェッジにより支圧面方向にトン単位の圧力がかかる。このとき、シムの軸方向にも同様の圧力がかかって、シムが軸方向に圧縮されることになる。従って、複数の分割片から構成されるシムを点溶接で接合したときに、この点溶接による接合が十分でない場合、シムの軸方向にかかる圧力によりシムが複数の分割片に分解してしまうことがある。また、シムが分解してしまわないように、分割片を接合する際の点溶接を過剰に行うと、今度はシムを分解することが難しくなる。もちろん、点溶接を過不足無く行うことができれば、PC鋼材の定着部に配置したときには分解せず、鏨で点溶接部分を叩くことで容易に分解することができるシムを形成することは可能である。しかし、このような過不足無い点溶接を行うには溶接作業に習熟した者でなければ難しく、また、溶接作業に習熟した者でも溶接作業毎に同程度の点溶接を行うことは困難である。
【００１１】
そこで、本発明の主目的は、作業者の溶接作業に対する習熟度に関わらず、PC鋼材の定着部においてPC鋼材の外周に取り付け・取り外しし易く、且つ、前記定着部に配置した際に、PC鋼材の緊張力によって分解しないシムを提供することにある。
【００１２】
また、本発明の別の目的は、上記シムを使用したPC鋼材の定着部における除荷方法を提供することにある。
【課題を解決するための手段】
【００１３】
本発明は、複数の非筒状分割片を組み合わせて形成した筒状部材を締め付け機構により締め付けてシムを構成することにより上記の目的を達成する。
【００１４】
本発明は、PC鋼材の緊張力を調節するためにPC鋼材の外周に配置される荷重調節用のシムである。前記シムは、複数の非筒状分割片を組み合わせて形成される筒状部材と、前記筒状部材をPC鋼材の外周に取り付けたときに、前記分割変が分割しないように締め付ける締め付け機構を備えることを特徴とする。
【００１５】
以下、本発明緊張力調節用シムを詳しく説明する。
【００１６】
シムは、複数の非筒状分割片を組み合わせて形成される筒状部材と、前記筒状部材をPC鋼材の外周に取り付けたときに、各分割片が分割しないように締め付ける締め付け機構を備える。
【００１７】
筒状部材の外形は特に問わないが、好ましくは円筒状である。また、筒状部材の外径は限定されないが、好ましくは、筒状部材を挟み込むように配置される部材（例えば、図５においては、グリップ3とロードセル5）の外径と大きな差が無く、且つ、PC鋼材に配置した際、このPC鋼材に隣接するPC鋼材と接触しないようにする。また、円筒状部材の内径は、PC鋼材の外径よりも小さくてもかまわないが、好ましくは、PC鋼材の外径とほぼ一致するようにする。筒状部材の内径とPC鋼材の外径がほぼ一致していると、筒状部材がPC鋼材の外周からずれ難く、PC鋼材を把持するウェッジ・ウェッジ受けを介して伝達されるPC鋼材の緊張力をロス無く支圧面方向に伝達することができる。
【００１８】
非筒状分割片は、組み合わせたときに筒状になれば、その個数は問わない。組み合わせる手間などを考慮に入れて好ましくは2〜4個である。また、各分割片は、筒状部材の横断面（環状の断面）を周方向に分割するように形成されていれば、その形状は問わない。例えば、分割片を組み合わせて筒状にしたときに、分割片の接合部分を表す線がジグザグ状でも良いし、直線状でも良い。このとき、各分割片の端面および筒の軸方向に対して垂直な断面は弧状であるが、この全ての弧の中心角が180°を超えないことが好ましい。弧の中心角が180°を超えると、PC鋼材を分割片に押し込んで配置しなければならないので、PC鋼材の外周を損傷したりする。
【００１９】
本発明シムは、上記のような筒状部材をPC鋼材に配置した際に複数の分割片に分割してしまわないように各分割片を締め付ける締め付け機構を有する。分割片は非筒状に分割しているので、当然、締め付ける方向は軸方向に対してずれた方向でなければならない。締め付け機構としては、例えば、筒状部材の外周を覆うように配置されるバンドや各分割片を集合するように締め付けるネジなどが挙げられる。
【００２０】
締め付け機構に使用するバンドとしては、タイラップ（トーマス  アンド  ベッツ  インターナショナル，インクの登録商標）のようなものを用いても良いし、一部が開放した金属性の円環を用いても良い。前記環を使用するのであれば、円環の開放部分にフランジ部を設けて、このフランジ部をネジなどで締め付けることにより、環の径を小さくする、すなわち、筒状部材を径方向内方に締め付ける。
【００２１】
また、各分割片を集合するように締め付けるネジを使用する場合、各分割片にネジを貫通する孔を設ける。例えば、筒状部材が2つの分割片から構成されている場合、一方の分割片に貫通孔（ネジのあるネジ孔でもネジの無いものでも良い）を設けて、他方の分割片にネジ穴を設けることが挙げられる。そして、ボルトを一方の分割片の貫通孔に貫通し、続いて他方のネジ穴に螺合させることにより、2つの分割片を互いに接近する方向に締め付ける。このとき、ネジ穴は分割片を貫通するネジ孔であっても良い。また、2つの分割片に貫通孔を設けて、この2つの貫通孔にボルトを貫通し、ボルトの端部にナットを配置して締め付けても良い。
【００２２】
いずれの締め付け機構を選択するにしても、締め付け機構が筒状部材の外周から突出しないように、各分割片に切り欠きを設けることが好ましい。シムの外周には、シムを設けたPC鋼材に隣接する他のPC鋼材が存在する場合があるので、シムの外周から締め付け機構が突出していると、この締め付け機構が他のPC鋼材を損傷してしまうことがある。また、シムの外周から締め付け機構が突出していると、定着部における種々の作業の邪魔になる。
【００２３】
分割片に設ける切り欠きの形状は特に限定されない。好ましくは、締め付け機構により分割片を締め付ける際に、作業の障害とならない形状を選択する。特に、締め付け機構にネジを使用する場合は、ネジを貫通させる貫通孔のある平面を前記貫通孔の軸方向に対して直角に形成すると良い。このようになすことで、分割片をネジで締め付けたときに、ネジのネジ頭が分割片と面接触するので、ネジによる分割片を締め付ける力を調節し易い。もちろん、ネジ頭が、筒状部材の外周に突出しないようにする。バンドを利用する場合、筒状部材の外周にバンドをはめ込み可能な切り欠き（溝）を設けることが好ましい。
【００２４】
また、本発明は、PC構造物におけるPC鋼材の定着部において、PC鋼材に導入され、PC構造物の支圧面に伝達される緊張力を緩めるためのPC鋼材の緊張力を除荷する方法である。前記定着部は、緊張されたPC鋼材を把持するウェッジと、ウェッジを嵌め込む嵌合孔を有するウェッジ受けと、前記ウェッジ受けよりも支圧面側にPC鋼材の外周を覆うように配置されるシムとを具える。前記シムは、複数の非筒状分割片を組み合わせて筒状に形成され、且つ、締め付け機構により各分割片が分割しないように締め付けられている。そして、これらウェッジ・ウェッジ受け・シムにより構成される定着部において、前記緊張力を除荷するときは、PC鋼材を再度緊張した後、締め付け機構による締め付けを緩めて、PC鋼材の外周からシムを取り外すことでPC構造物に付与されたPC鋼材の緊張力を除荷することを特徴とする。
【００２５】
PC構造物におけるPC鋼材の定着部は、緊張されたPC鋼材を把持するウェッジと、ウェッジを嵌め込むウェッジ受けを具え、これらの部材を介して、PC鋼材に導入された緊張力をPC構造物の支圧面に伝達する。ここで、上記ウェッジ・ウェッジ受けに加えて上述した本発明シムを使用することで、一旦PC鋼材に導入された緊張力を除荷することができる。
【００２６】
定着部の形成の際、シムはウェッジ受けよりも支圧面側の任意の位置に配置することができる。シムの配置は、PC鋼材の外周を覆うように各非筒状分割片を配置して筒状に形成し、締め付け機構により筒状に形成した各分割片を締め付ける。定着部における全ての部材を配置した後、PC鋼材を緊張して、ウェッジにより定着する。
【００２７】
そして、PC鋼材の緊張力を緩めるときは、PC鋼材を再度緊張してシムの筒状部材を締め付けている締め付け機構を取り外し、シムを分解してPC鋼材の外周から取り外す。シムを取り外したらPC鋼材の再緊張を緩める。このとき、PC鋼材はシムの軸方向の長さ分だけ緊張が緩むので、定着部の緊張力を除荷することができる。
【発明の効果】
【００２８】
本発明緊張力調節用シムによれば、PC鋼材の外周に取り付けたり取り外したりし易く、且つ、PC鋼材に緊張力を導入したときに前記シムが分割することがないシムを提供することができる。
【００２９】
また、本発明PC鋼材の緊張力を除荷する方法によれば、定着部に一旦導入したPC鋼材の緊張力を個々のPC鋼材単位で簡単に除荷することができる。
【発明を実施するための最良の形態】
【００３０】
＜実施例１＞
本実施例では、橋梁桁内部におけるPC鋼材の定着部においてPC鋼材の緊張力を監視する緊張力監視部を設け、この緊張力監視部に作用する緊張力を除荷する方法を例に挙げる。まず初めに定着部における緊張力監視部の形成方法を、次に前記監視部を構成する各部材を、最後に緊張力監視部に導入された緊張力を除荷する方法を図に基づいて説明する。
【００３１】
図1に示すように、緊張力監視部10はPC鋼材1を把持するウェッジ2・ウェッジ2を嵌め込むグリップ3・本発明シム40・緊張力を測定するロードセル5・ロードセル5を整列させる支圧リング6により構成され、これら監視部10からアンカーディスク8・リブキャストアンカー9を介して支圧面Gに緊張力が伝達される。このとき、アンカーディスク8の嵌合孔8Haには穴埋めリング7が配置されており、前記支圧リング6の端面が当接するアンカーディスク8の端面を面一にして、PC鋼材1の緊張力がアンカーディスク8に対してロス無く伝達されるようにしている。このようになすことで、監視部10を設けない通常の定着部、すなわち、PC鋼材1を把持するウェッジ2bをアンカーディスク8の嵌合孔8Hbに嵌め込むことで形成した定着部における緊張力にほぼ等しい荷重を監視部10に付与することができる。従って、緊張力監視部10に設けたロードセル5の測定結果を通常の定着部における緊張力とみなすことができる。
【００３２】
ウェッジ2は、円錐筒状に形成し、後述するグリップ3（ウェッジ受け）の嵌合孔3Hに嵌め込むことができ、且つ、その内部にPC鋼材1を配置できるようにした。また、ウェッジ2は、横断面が円弧状の3つの分割片をくみ合わせて構成した。ウェッジ2を3つの分割片に形成することで、分割片を組み合わせて円錐筒状にしたときに、所定の範囲内で内径を変化させることができる。従って、ウェッジ2の内部にPC鋼材1を配置したときに、ウェッジ2の内径を縮める方向に変化させることで、PC鋼材1を把持することができる。
【００３３】
グリップ3は、内部にウェッジ2を嵌め込むことができる嵌合孔3Hを有する筒状部材とした。グリップ3の嵌合孔3Hは、この嵌合孔3Hにウェッジ2を嵌め込んだときにウェッジ2の先端部分がグリップ3から突出してグリップ3に当接するシム40の邪魔にならないように形成した。
【００３４】
そして、シム40は、図2に示すように2つの分割片41,42を組み合わせて形成した円筒状部材と、前記2つの分割片41,42を接合するように締め付けるネジ（六角穴付ボルト46）により構成した。円筒状部材の外径は、前記グリップ3（図1を参照）の外径にほぼ等しく形成した。また、円筒状部材の一端面には、後述するロードセルを嵌め込む凹部48を形成した。このようになすことで、グリップ3から伝達されるPC鋼材1の緊張力をロス無くロードセル5に伝達することができる（図１を参照）。また、円筒状部材の内径をPC鋼材の外径にほぼ等しく（PC鋼材の外径よりも若干大きく）形成した。このようになすことで、円筒状部材の内周面がPC鋼材の外周面を損傷したり、円筒状部材の内周面とPC鋼材の外周面との間に隙間が大きくなって、シム40の中心とPC鋼材の中心がずれたりすることを防止することができる。特に、シム40とPC鋼材の中心がずれると、シム40にかかる圧力が、シム40の周方向において不均一になるので、シム40が損傷したり、PC鋼材の緊張力をロスなくロードセルに伝達することができないので、緊張力を適正に監視することができない。
【００３５】
分割片41には、切り欠き43と、切り欠き43から連続して形成され、ボルト46が貫通される貫通孔44を設けた。前記切り欠き43は、分割片41の上部に2つ、下部に2つ設け、ボルト46の頭部が突出しないような大きさとした。さらに、貫通孔44を設けてある切り欠き43の面43aが貫通孔44の軸方向に対して直交するように切り欠き43を形成し、ボルト46を締め付け易くした。また、前記貫通孔44の径は、ボルト46の外径よりも大きく形成した。もちろん、貫通孔44は、ボルト46を螺合することができるようにネジ溝を切ってあるネジ孔としても良い。
【００３６】
一方、分割片42には、分割片41と組み合わせて円筒状に形成したときに、分割片41の貫通孔43と一対一対応する位置にネジ穴45を設けた。このようになすことで、分割片41の貫通孔43にボルト46を貫通したときに、分割片42のネジ穴45にボルト46の端部が螺合するので、分割片41,42を互いに接近する方向に締め付けることができる。なお、ネジ穴45は、分割片42を貫通するネジ孔であっても良い。
【００３７】
ロードセルは、市販のものを使用した。図１に示すように、ロードセル5は、円筒状に形成された部材であり、その内周面にPC鋼材1を挿通することができる。そして、円筒状端面における周方向に複数の感知部（図示せず）が均等配置されており、この感知部にかかる荷重を電圧の変化として測定する。
【００３８】
支圧リング6は、円筒状部材である。支圧リング6は、それぞれ外径の一定な太径部と細径部からなり、太径部の外径は、前述したロードセル5の外径に一致し、ロードセル5からの圧力をロス無くアンカーディスク8に伝達する。一方、細径部は、後述する穴埋めリング7の端部の径よりも大きい、すなわち、アンカーディスク8の嵌合孔8Haの直径よりも大きく形成されている。このようになすことにより、支圧リング6が穴埋めリング7のみを押圧して、アンカーディスク8に伝達されるべきPC鋼材1の緊張力をロスすることを防止することができる。
【００３９】
穴埋めリング7は、円錐筒状の部材であり、その内部にPC鋼材1を配置することができる。そして、その内部にPC鋼材1を配置してアンカーディスク8の嵌合孔8Haに嵌め込んだときに、その太径側端面がアンカーディスク8の端面と面一になるように形成した。このようになすことにより、前述の支圧リング6の端面全体が、アンカーディスク8の端面および穴埋めリング7の端面とで構成される面と面接触することになるので、PC鋼材1の緊張力をロス無く支圧面Gに伝達することができる。
【００４０】
これらの部材により構成される緊張力監視部10において、この監視部10にかかる緊張力を除荷するときは、PC鋼材1を再度緊張する。PC鋼材1を緊張することで、グリップ3がシム40を押圧しない状態になるので、シムを取り外す作業をすることができる。シム40の取り外しは、図２に示すように、六角穴付ボルト46の緩めて、分割片41,42から抜き取り、分割片41,42をPC鋼材の外周から取り外す。このとき、分割片41,42は、ボルト46によってのみ係合されているので、前記ボルト46の締め付けを解いて、分割片41,42から抜き取るだけで容易にPC鋼材の緊張力を除荷することができる。
【００４１】
本例においては、緊張力監視部を設けたPC鋼材の定着部を例に挙げたが、本発明緊張力調節用シムは、緊張力監視部に設けることに限定されない。例えば、橋梁の本線に補強線を設置する作業の間だけ緊張しておく仮止め補強線に好適に利用することができる。この場合、本線の中途に仮止め線を接続し、この仮止め線の定着部に本発明シムを使用する。そして、本線に補強線を設置し終えたら、仮止め線の定着部においてシムを分解し、仮止め線の緊張力を除荷して、仮止め線を取り外すようにする。
【００４２】
＜変形例１−１＞
次に、ネジ（ボルト）とナットによりシムを構成する分割片を締め付ける構成を説明する。本例においては、シム以外の部材およびPC構造物に導入した緊張力を除荷する方法は、実施例１と同様であるためその説明は省略する。以下、本例のシムの構造を図３に基づいて説明する。
【００４３】
図３に示すように、本例のシム50は、２つの分割片51,52を組み合わせて円筒状に形成したものを、六角穴付ボルト56とナット57により締め付けることにより形成した。ここで、分割片51,52は切り欠きや貫通孔の位置・形状が全く同じである同一部材である。
【００４４】
シム50を取り付けの際は、まず初めに分割片51,52を組み合わせて円筒状に形成し、分割片51の切り欠き53方向から六角穴付ボルト56を分割片51の貫通孔54に挿入した。続いて、ボルト56の端部を分割片52の貫通孔55に挿入し、ボルト56の端部が分割片52の貫通孔55から突出するようにした。そして、突出したボルト56の端部にナット57を螺合して、分割片51,52を締め付けた。このとき、ボルト56の頭部はもちろん、ナット57も、切り欠き53がつくる空間に配され、シム50の外周に突出しなかった。なお、凹部58をロードセルの端部に係合させることは実施例１と同様である。
【００４５】
本例の構成によれば、分割片を作製する際に金型を一つ用意するだけで良く、経済的である。また、分割片に形成される貫通孔にネジ溝を形成する手間を省くことができる。
【００４６】
＜変形例１−２＞
次に、分割片を組み合わせて円筒状に形成したシムを締め付けバンド（タイラップ：登録商標）により外周側から締め付けて構成した本発明シムを説明する。シム以外の部材およびPC構造物に導入した緊張力を除荷する方法は、実施例１と同様であるためその説明は省略する。以下、本例のシムの構造を図４に基づいて説明する。
【００４７】
図４に示すように、本例のシム60は、２つの分割片61,62を合わせて円筒状に形成したものを、締め付けバンド66により締め付けることにより形成した。ここで、分割片61,62は切り欠き（溝）の位置・形状が全く同じである同一部材である。
【００４８】
シム60を形成の際、まず初めに分割片61,62を組み合わせて円筒状に形成し、円筒の全周に亘って形成した環状溝63に締め付けバンド66を巻き付けた。締め付けバンド66は、その端部にバンドを止める固定部材66aが設けられており、この固定部材66aは、バンドの端部66bを挿通したときにバンドの表面に形成された凹凸に係合して、容易に締め付けが緩まないように形成されている。従って、バンド66の端部66bを固定部材66aに挿通して引っ張ったときに、バンド66の形成する円の内径が小さくなるので、図４（B）に示すように分割片61,62を締め付けることができる。このとき、締め付けバンド66は環状溝63に収められて、シム60の外周に突出していない。なお、凹部68をロードセルの端部に係合させることは実施例１と同様である。
【００４９】
本変形例の構成によれば、貫通孔などの複雑な形状を有していないので、非常に簡単な形状の金型を１つ用意するだけで分割片を製造することができる。
【産業上の利用可能性】
【００５０】
本発明シムは、PC鋼材に導入された緊張力を各PC鋼材毎に調節する必要のあるPC鋼材の定着部に好適に利用できる。
【図面の簡単な説明】
【００５１】
【図１】図１は、実施例１に記載のPC構造物におけるPC鋼材の定着部に概略説明図である。
【図２】図２は、実施例１に記載のシムを示す図であり、（A）は正面図を、（B）はA-A’断面を示す。
【図３】図３は、実施例１−１に記載のシムを示す図であり、（A）は正面図を、（B）はB-B’断面を示す。
【図４】図４は、実施例１−２に記載のシムを示す図であり、（A）は正面図を、（B）はC-C’断面を示す。
【図５】図５は、従来のPC構造物におけるPC鋼材の定着部を示す概略説明図である。
【符号の説明】
【００５２】
1  PC鋼材    2  ウェッジ    3  グリップ    4  シム    5  ロードセル
6  支圧リング    7  穴埋めリング    8  アンカーディスク
8H  嵌合孔    9  リブキャストアンカー    10  緊張力監視部
2A  ウェッジ    8Ha  嵌合孔    2b  ウェッジ    3H  嵌合孔
40  シム
41,42  分割片    43  切り欠き    44  貫通孔    45  ネジ穴
46  六角穴付ボルト    48  凹部
50  シム
51,52  分割片    53  切り欠き    54,55  貫通孔
56  六角穴付ボルト    57  ナット    58  凹部
60  シム
61,62  分割片    63  環状溝    68  凹部
66  締め付けバンド    66a  固定部材    66b  端部
【図１】
2007032126.tif 000003
【図２】
2007032126.tif 000004
【図３】
2007032126.tif 000005
【図４】
2007032126.tif 000006
【図５】
2007032126.tif 000007